(57)【要約】【課題】結束線付きの表示タグを提案する。【解決手段】タグ部材１２、結束線２０および係止片３０によって表示タグ１０を構成する。タグ部材１２にはその本体１２Ａに掛け止め片１２Ｂが設けられている。掛け止め片１２Ｂの先端部１４ｂを基端部１４ａ側に結束線２０を差し込んだ状態で折り曲げ、折り曲げた状態で係止片３０によってクリップする（挟持固定する）。  これによれば、タグ部材１２に設けられた掛け止め片１２Ｂと係止片３０を用いて、結束線２０をタグ部材１２に堅固に取り付けることができると共に、結束線２０はタグ部材１２に対して並行に取り付けることができる。その結果、包装袋の表面に対して並行にこの表示タグ１０を取り付けることができる。【選択図】        図１
2008150079.tif 000002
【特許請求の範囲】
【請求項１】
包装袋の開口部側に巻き付けることで該包装袋を結束する結束線と、
上記結束線に取着されるタグ部材と、
上記結束線と上記タグ部材とを固定する係止片からなる表示タグであって、
上記タグ部材は、情報などを表示するタグ本体と、このタグ本体の一部に連なるように設けられた掛け止め片からなり、
上記掛け止め片の先端部側をその基端部側に折り曲げることで上記結束線が上記掛け止め片によって挟持されると共に、
上記係止片が、折り曲げられた上記掛け止め片に装着固定される
ことを特徴とする表示タグ。
【請求項２】
上記結束線は、芯線とその被覆部からなる
ことを特徴とする請求項１記載の表示タグ。
【請求項３】
包装袋の開口部側に巻き付けることで該包装袋を結束する結束線と、
上記結束線に取着されるタグ部材からなる表示タグであって、
上記タグ部材は、情報などを表示するタグ本体と、このタグ本体の一部に連なるように設けられた掛け止め片からなり、
上記掛け止め片には貼着部が設けられ、上記結束線を介在させた状態で、上記掛け止め片の先端部側をその基端部側に折り曲げ、上記貼着部によって折り曲げ状態を保持することで、上記結束線が上記掛け止め片によって挟持される
ことを特徴とする表示タグ。
【請求項４】
上記貼着部には、粘着剤が塗布された
ことを特徴とする請求項３記載の表示タグ。
【発明の詳細な説明】
【技術分野】
【０００１】
この発明は表示タグに関する。詳しくは、各種商品を内装した包装袋の開口部側に結束される表示タグであって、結束線を備えると共に、包装袋の表面に沿って堅固に結束できる表示タグに関する。
【背景技術】
【０００２】
お菓子などの嗜好品などを内装した包装袋には、その開口部側をリボンなどで結ぶことで、包装袋の見栄えをよくして、商品価値を高めることが行われている。リボンに代えて商品の内容を説明したり、キャッチフレーズなどを印刷した表示タグなどを結束する場合もある。
【０００３】
表示タグを使用する場合には、表示タグを包装袋に結束しなければならない。そのため表示タグには、その一部に通線孔が設けられたものや、表示タグ本体の一部を絞って結束し易くした形状のものなどが知られている（例えば、特許文献１あるいは特許文献２）。
【０００４】
【特許文献１】特公昭４１−８５１７号公報
【特許文献２】特開昭５９−１６３１２３号公報
【発明の開示】
【発明が解決しようとする課題】
【０００５】
ところで、特許文献１に開示された表示タグの場合には、通線孔に結束線を通線した状態で、包装袋の開口部にこの結束線を結ぶために、表示タグの面が傾いた状態で包装袋に結束されることになるから、見栄えが悪いばかりでなく、包装袋の搬送時や展示のとき、周囲の物に引っ掛かって表示タグが損傷を受けて脱落したりするおそれがある。
【０００６】
特許文献２に開示された表示タグは、通線孔を使用しないので特許文献１のような問題は起きないものの、表示タグ本体の一部を絞っただけであるので、包装袋に対する結束が緩いと簡単に脱落してしまう。
【０００７】
そこで、この発明はこのような従来の課題を解決したものであって、特に包装袋の表面に沿って堅固に取り付けることができるような表示タグを提案するものである。
【課題を解決するための手段】
【０００８】
上述の課題を解決するため、請求項１に記載したこの発明に係る表示タグは、包装袋の開口部側に巻き付けることで該包装袋を結束する結束線と、
上記結束線に取着されるタグ部材と、
上記結束線と上記タグ部材とを固定する係止片からなる表示タグであって、
上記タグ部材は、情報などを表示するタグ本体と、このタグ本体の一部に連なるように設けられた掛け止め片からなり、
上記掛け止め片の先端部側をその基端部側に折り曲げることで上記結束線が上記掛け止め片によって挟持されると共に、
上記係止片が、折り曲げられた上記掛け止め片に装着固定されることを特徴とする。
【０００９】
また、請求項３に記載したこの発明に係る表示タグは、包装袋の開口部側に巻き付けることで該包装袋を結束する結束線と、
上記結束線に取着されるタグ部材からなる表示タグであって、
上記タグ部材は、情報などを表示するタグ本体と、このタグ本体の一部に連なるように設けられた掛け止め片からなり、
上記掛け止め片には貼着部が設けられ、上記結束線を介在させた状態で、上記掛け止め片の先端部側をその基端部側に折り曲げ、上記貼着部によって折り曲げ状態を保持することで、上記結束線が上記掛け止め片によって挟持されることを特徴とする。
【００１０】
請求項１に記載した表示タグは、タグ部材、結束線および係止片からなる。タグ部材は掛け止め片を有するタグ本体で構成される。掛け止め片は、その先端部側をその基端部側に折り曲げることで結束線が掛け止め片によって挟持されると共に、上記係止片が、折り曲げられた上記掛け止め片に装着固定される。係止片はクリップとして機能するので、係止片によって結束線をタグ本体に取り付けることができる。
【００１１】
請求項３に記載した表示タグは、タグ部材と結束線からなる。タグ部材は掛け止め片を有するタグ本体で構成される。掛け止め片には貼着部が設けられ、その先端部側をその基端部側に折り曲げて先端部を基端部側に貼着することで結束線が掛け止め片によって挟持される。これで結束線をタグ本体に取り付けることができる。
【００１２】
結束線をタグ本体に取り付けた表示タグは、結束線を用いて包装袋の開口部側に結束される。結束線はタグ本体（表面）に対して並行に取り付けられるため、包装袋の開口部側に結束線を巻き付けてもタグ本体が包装袋に対して傾いて取り付けられることはない。つまり、包装袋の表面に沿ってタグ本体が取り付けられるから、表示タグが破損したり、脱落したりすることはない。結束線はタグ本体に対して係止片あるいは貼着部を利用して堅固に取り付けられているので、タグ本体から結束線が簡単に外れることはない。
【発明の効果】
【００１３】
この発明では、タグ部材、結束線および係止片によって表示タグを構成したものである。また、この発明では、貼着部を備えた掛け止め片を有するタグ部材と、結束線から表示タグを構成したものである。
【００１４】
これによれば、タグ部材に設けられた掛け止め片と係止片を用いて結束線をタグ部材に堅固に取り付けることができると共に、結束線はタグ部材に対して並行に取り付けることができる。
【００１５】
同じく、タグ部材に設けられた掛け止め片と貼着部を用いて結束線をタグ部材に堅固に取り付けることができると共に、結束線はタグ部材に対して並行に取り付けることができる。
【００１６】
その結果、結束線を用いて包装袋の開口部側に結束するとき、結束線がタグ本体に対して並行に取り付けられるため、包装袋の表面に沿ってタグ本体を取り付けることができる。したがって、包装袋の開口部側に結束線を巻き付けてもタグ本体が包装袋に対して傾いて取り付けられることはないから、回りの品物にぶつかって破れたりすることがない。
【００１７】
結束線はタグ本体に対して係止片あるいは貼着部を利用して堅固に取り付けられているので、タグ本体から結束線が簡単に外れることはない。
【発明を実施するための最良の形態】
【００１８】
続いて、この発明に係る表示タグの好ましい実施例を図面を参照して詳細に説明する。この発明に係る表示タグは自動取り付け装置を用いて結束線をタグ本体に取り付けることができる。そして、タグ本体に結束線を取り付けた表示タグは自動結束機を用いて包装袋に結束できる。そこでまず、表示タグから説明する。
［第１の発明］
【実施例１】
【００１９】
図１はこの発明（第１の発明）に係る表示タグ１０の実施の形態を示す。この表示タグ１０は、主として各種商品を包装袋に内装した状態でこの包装袋の開口部側に取り付けられる。
【００２０】
表示タグ１０は図１に示すように、タグ部材１２と、結束線２０と、係止片３０とで構成される。タグ部材１２は、多少硬めの紙材や樹脂コーティングされた紙材などが使用される。
【００２１】
タグ部材１２は、ほぼ矩形状をなすタグ本体１２Ａと、このタグ本体１２Ａの上面中央端面と連なるように、この例ではタグ本体１２Ａと一体形成された帯状の掛け止め片１２Ｂとで構成される。掛け止め片１２Ｂは結束線２０をタグ本体１２Ａに取り付けるための取り付け片として機能する。
【００２２】
タグ本体１２Ａは図２に示すように、タグ本体１２Ａの一面例えばその表面側は表示部１４となされ、この表示部１４は商品説明や、広告宣伝の表示欄として使用される。タグ本体１２Ａの一部、この例では上面中央部に掛け止め片１２Ｂが設けられる。
【００２３】
掛け止め片１２Ｂは、タグ本体１２Ａに連結された帯状片であって、ほぼ２分した帯状片のうちタグ本体１２Ａ側を基端部１４ａとし、帯状片の先端側を先端部１４ｂとすれば、先端部１４ｂ側を基線ｐに沿って基端部１４ａ側に折り曲げて使用される。基端部１４ａの長さは先端部１４ｂよりも１．５倍程度長くなっているが、これは、後述する掛け止め片３０の長さを考慮し、掛け止め片３０がタグ本体１２Ａ側に達しないようにするためである。
【００２４】
結束線２０は芯線のみからなる針金を始めとして、芯線に樹脂被膜をコーティングした被覆線や、芯線に樹脂被膜を帯状にコーティングした被膜線などを使用できる。帯状をなす結束線の場合には掛け止め片１２Ｂから抜去しにくくなるメリットがある。
【００２５】
掛け止め片１２Ｂを折り曲げただけでは結束線２０を掛け止め片１２Ｂに挟持しておくことができない。この折り曲げ状態を保持して結束線２０を固定するためにこの例では係止片３０が使用される。係止片３０を使用することで、図１に示すようにタグ部材１２に結束線２０を挟持固定できる。
【００２６】
係止片３０の具体例を図３に示す。係止片３０は、図３Ｂに示すように断面がほぼＵ字状をなす樹脂製あるいは金属製の弾性体であって、一半部３２ａと他半部３２ｂからなる。一半部３２ａと他半部３２ｂとの対向内面側にはそのほぼ中央部に互いにその先端部が衝合するような衝合突起部３４，３４がそれぞれ一体形成されている。衝合突起部３４，３４は後述するように折り曲げられた基端部１４ａと先端部１４ｂを挟持固定するための挟持固定片として機能する。
【００２７】
また一半部３２ａと他半部３２ｂのそれぞれの先端部には先端突起部３６，３６が設けられている。折り曲げられた基端部１４ａと先端部１４ｂをより堅固に挟持固定すると共に、係止片３０が簡単に掛け止め片１２Ｂから抜け出ないようにするためである。先端突起部３６と３６との間には少許の隙間が開いているが（図３Ｃ参照）、両者を衝合するようにも構成することができる。
【００２８】
図３Ｂに示すように、先端突起部３６、３６から先端部に向かって外側に開口するようなテーパー面３８，３８となされている。一方、図３Ａに示すように係止片３０の基部４０側は、その両端部が切り落とされた切欠面４２を有する。
【００２９】
この切欠面４２と、テーパー面３８，３８とは後述するように、一半部３２ａ，３２ｂを外方に拡張と抜棒するために使用されるものであって、したがって切欠面４２，４２は、テーパー面３８，３８に当接した拡張部材（後述する）が一半部３２ａと他半部３２ｂの各内面を摺接した状態で外部に抜けられるようにするための開口面として機能する。
【００３０】
係止片３０は、表示タグ１０のサイズに応じて大中小の３タイプほど用意されている。それぞれのサイズに応じて、係止片３０を構成する各半部３２ａ，３２ｂの長さも相違する。
【００３１】
さて、このような部材１２，２０，３０からなる表示タグ１０を組み立て方を図４以下を参照して説明する。図４は、結束線２０をタグ部材１２に取り付ける例を示す。
【００３２】
まず、図４Ａに示すように結束線２０を掛け止め片１２Ｂの基端部１４ａと対向させ、その状態で図４Ｂのように先端部１４ｂを基線ｐから結束線２０を覆うように折り曲げる。その後、図４Ｃに示すように係止片３０を掛け止め片１２Ｂを挟持するように差し込む。こうすることで、係止片３０が掛け止め片１２Ｂにクリップされるので、係止片３０を使用して結束線２０を簡単にしかも堅固にタグ部材１２に挟持固定することができる。
【００３３】
係止片３０の取り付け例を図５に示す。係止片３０をタグ部材１２に取り付けるには、結束装置の一部を構成する取り付け機構を用いる。図５は取り付け機構５０の概略構成例であって、取り付けに関する部分のみを示す。
【００３４】
この取り付け機構５０は、左右にスライドする表示タグ１０用のトレー５２を有する。トレー５２はほぼＬ字状の板体であって、その板面にタグ部材１２が載置される。掛け止め片１２Ｂが図示の状態で左側となるように載置される。トレー５２の左端部側の下側には可動式の下部押圧部５４が、この下部押圧部５４と対向する上部には固定式の上部押圧部５６が位置する。可動式の下部押圧部５４の左側にはさらに掛け止め片１２に対する折り曲げ用であって、可動式の左部押圧部５８が位置する。
【００３５】
また、上部押圧部５６の下面とトレー５２の上面との間をスライドできるように、トレー５２の左端部を延長した位置であって、このトレー５２と対向するように押し当て部６０が設けられている。
【００３６】
このように構成された取り付け機構５０の動作を説明する。まず図５Ａのようにトレー５２は上下押圧部５４，５６とは所定の距離だけ離れた位置が原位置となる。トレー５２にはタグ部材１２が、掛け止め片１２Ｂが左側を向くように載置される。載置するタグ部材１２は１枚でもよければ、複数枚載置することもできる。図示の例は１枚づつ載置するようにした例である。トレー５２に載置した状態では掛け止め片１２Ｂがトレー５２の左端部より突出するようにトレー５２のサイズが定められる。
【００３７】
タグ部材１２を載置した状態でトレー５２は左側にスライドされる（図５Ｂ参照）。そして、掛け止め片１２Ｂのうち基端部１４ａが上下押圧部５４，５６と対峙する位置までスライドされ、その位置で停止する。この位置までスライドされると、次に図５Ｃに示すように、図示はしないが押し出し機構を利用して、結束線２０が基端部１４ａの面に接するように、紙面の前後いずれかの方向より押し出される。この例では、紙面の奥側に押し出し機構が配置されているものとする。
【００３８】
トレー５２側に押し出された結束線２０は予め所定の長さとなるように切断されているものとする。そして、図４Ｂに示すように基端部１４ａを基準にして左右等長となるように結束線２０が押し出される。
【００３９】
続いて、図５Ｄに示すように、下部押圧部５４が基端部１４ａの紙面に当接するまで可動され、その後、左部押圧部５８が上方にスライドして掛け止め片１２Ｂの先端部１４ｂを基線ｐを基準にして内側に折り曲げる。先端部１４ａを内側に折り曲げた状態となったとき、図５Ｅに示すように押し当て部６０をトレー５２方向にスライドさせ、掛け止め片１２Ｂと上部押圧部５６との間に押し込む。
【００４０】
さらに、押し当て部６０をトレー５２の左端部端面まで到達するように押し込む（図５Ｆ参照）。掛け止め片１２Ｂと上部押圧部５６との間は、殆ど押し当て部６０の厚み程度であるから、図５Ｆのように押し当て部６０をトレー５２の左端部側までスライドさせることで、結束線２０を挟んだ状態で掛け止め片１２Ｂが折り曲げられる。その結果、押し当て部６０を元の位置までスライドさせても、掛け止め片１２Ｂのうち先端部１４ｂが基端部１４ａに折り曲げられた状態が保持され、先端部１４ｂが基端部１４ａと接触した状態となっている。
【００４１】
次に、この折り曲げられた状態のタグ部材１２に対して係止片３０の係止処理が行われる。この係止処理は同じ取り付け機構を使用して行われる。上述した上下押圧部５４，５６、折り曲げ部５８および押し当て部６０は、それぞれ所定の位置まで退避する。
【００４２】
この退避処理が終了すると、図６Ａに示すようにまず、係止片３０を載置したトレー８０が押し当て部６０と同じ位置まで上昇して停止する。次に係止片３０の拡張部材７０，７２（図６Ａでは一方の拡張部材７２のみが図示されている）が、掛け止め片１２Ｂの先端部付近の上下位置まで進入して停止する。
【００４３】
係止片３０と拡張部材７０，７２との関係を、図７を参照して説明する。拡張部材７０，７２としてこの例では棒状の拡張レバーが使用される。この例では、図７Ｃに示すように一方の拡張部材７０は一対の拡張レバー７０ａ，７０ｂで構成され、これらが図７Ｂおよび図７Ｃに示すように一半部３２ａと他半部３２ｂの各開口端面の内面側（テーパー面３８）に対峙した状態で、しかも切欠面４２に臨む位置が拡張部材７０の初期位置（待機位置）となる。
【００４４】
同様に、他方の拡張部材７２も一対の拡張レバー７２ａ，７２ｂを有し、これらが図７Ｂおよび図７Ｃに示すように一半部３２ａと他半部３２ｂの各開口端面の内面側（テーパー面３８）に対峙すると共に、切欠面４２に臨む位置に待機している。
【００４５】
図６Ａに示すように係止片３０は上述した押し当て部６０によって拡張部材７０，７２側にスライドできる構成となされており、押し当て部６０によって図６Ｂに示すように係止片３０を拡張部材７０，７２と当接するまでスライドさせる。拡張部材７０，７２に当接した状態でさらに係止片３０をトレー５２の方向にスライドさせると、係止片３０は弾性体であるので、図６Ｂに示すように固定された拡張部材７０，７２によって係止片３０の開口端面側が大きく拡張する。
【００４６】
その結果、大きく開口された係止片３０の内側に掛け止め片１２Ｂが進入する。係止片３０の開口状態は係止片３０の内面形状に応じて変化するが、何れにしても係止片３０をさらにトレー５２の方向にスライドさせることによって掛け止め片１２Ｂは係止片３０の最深部４６まで到達する。
【００４７】
最深部４６まで係止片３０が到達すると、拡張部材７０，７２は上述した切欠面４２と対峙することになるが、拡張部材７０，７２の進行方向は切欠されているためこの切欠面の作用で、係止片３０に対する拡張部材７０，７２の当接状態が解除される。
【００４８】
その結果、図６Ｃのように掛け止め片１２Ｂを構成する基端部１４ａと先端部１４ｂの双方が係止片３０の一半部３２ａと他半部１４ｂの協働で、互いに挟持固定される。この状態を拡大して図示すれば、図８のようになる。衝合突起部３４，３４によって基端部１４ａと先端部１４ｂが密着する。同時に開口端面側の先端突起部３６，３６によっても基端部１４ａ側が押さえ込まれるので、これら２つの突起部３４，３６の協働によって掛け止め片１２Ｂは堅固に固定される。したがって、結束線２０は確実にタグ部材１２に取り付けることができる。
【００４９】
このようにタグ部材１２，結束線２０および係止片３０の各部材によって、図１に示す結束線２０が取り付けられた表示タグ１０を得ることができる。
【００５０】
結束線２０を有する表示タグ１０は結束機構を用いて包装袋の開口部側に結束される。この結束機構は上述した取り付け機構に部材をさらに付加して構成することもできれば、取り付け機構とは独立した機構として構成することもできる。図９および図１０に示す例は、結束機構を取り付け機構とは別機構として構成した例を示す。
【００５１】
結束機構１００の概略構成を図９Ａに示す。この結束機構１００は、タグ部材１２の位置決め部材１０２と、包装袋１０４を挟んで位置決め部材１０２と対峙するひねり機構部１１０およびひねり機構部１１０とは反対側の位置であって、位置決め部材１０２と対峙するように設けられた押し付け機構部１２０とで構成される。
【００５２】
位置決め部材１０２は、結束線２０を取り付けたタグ部材１２を結束機構１００の所定位置に保持するための部材であって、包装袋１０４の進入位置を境に左右に分割された位置決め部材１０２Ａ，１０２Ｂからなり、それぞれにはタグ部材１２を挿通できる幅を有した挿通部１０６ａ，１０６ｂを備える。
【００５３】
ひねり機構部１１０は、金属材料などの剛性素材をほぼＳ字状をなすように成形したひねり部１１２を有する。このひねり部１１２はＳ字が横向きとなるように配置されると共に、ひねり部１１２の中心部に駆動モータ１１４の回転軸１１６が取り付け固定される。ひねり部１１２の左部１１２ａ側はその奥側が開放され、右部１１２ｂ側は手前側が開放された状態となるように回転軸１１６に軸支されている。
【００５４】
押し付け機構部１２０は、Ｕ字状ではあるが、馬蹄形のようにそれぞれの先端部が多少内側に湾曲した形状をなす押し付け部１２２と、その中心に取り付け固定されたスライド軸１２４とで構成される。
【００５５】
このように構成された結束機構１００の結束工程を図９および図１０を参照して説明する。まず上述した取り付け機構によって結束線２０が取り付けられた表示タグ１０を用意し、この表示タグ１０を図９Ａに示すように位置決め部材１０２の挿通部１０６ａ，１０６ｂ間に差し渡す。表示タグ１０の位置決め部材１０２への差し渡しは、手動でも自動でもよい。図の例は手動で差し渡す例である。
【００５６】
表示タグ１０を位置決め部材１０２に差し渡した後は、押し付け機構１２０が包装袋１０４側にスライドする。そうすると、押し付け部１２２が掛け止め片１２Ｂに当接するので、その状態でさらに包装袋１０４側にスライドさせると、図９Ｂに示すように掛け止め片１２Ｂを中心にして結束線２０の両端がＵ字状に折り曲げられた状態で、押し付け部１２２の内面側に入り込む。同時に、包装袋１０４の開口部１０４ａ側も結束線２０の内側に入り込む（図９Ｂ参照）。
【００５７】
そして、押し付け部１２２をさらにスライドさせて、押し付け部１２２が位置決め部材１０２の前方側に到達すると、掛け止め片１２Ｂが押し付け部１２２の底部に接触した状態になると共に、包装袋１０４の開口部１０４ａの周囲を半分程度囲繞した状態となる。
【００５８】
このとき、結束線２０の両端部は何れもひねり部１１２と対向することになるから、押し付け部１２２を図９Ｂの位置よりもさらにスライドさせると、図１０Ａに示すように、結束線２０の左端部はひねり部１１２の左部１１２ａ側のＳ字部内に進入し、結束線２０の右端部はひねり部１１２の右部１１２ｂのＳ字部内に進入する。
【００５９】
結束線２０の両端部がそれぞれひねり部１１２内に完全に進入したタイミングになると、今度は駆動モータ１１４が駆動されて回転軸１１６が回転する。この回転によって図１０Ｂのように、結束線２０の両端がこのひねり部１１２によって捻転される。数回の捻転を行うことで包装袋１０４の開口部はこの結束線２０によって堅固に結束される。
【００６０】
なお、この開口部１０４ａは通常熱溶着などによって封止された状態となっているから、結束線２０がなくても内装品がはみ出すようなことはない。したがって、結束線２０はこの開口部１０４ａから落下しない程度の堅固さで結束されれば十分である。
【００６１】
結束が終了すると、図１０Ｂのように押し付け部１２２は原位置まで後退して待機状態となる。この待機状態のときひねり機構部１１０から包装袋１０４を外して、再び新しい包装袋１０４と、新しい表示タグ１０が位置決め部材１０２側にそれぞれセットされる。表示タグ１０が結束された包装袋１０４の一例を図１１に示す。
【実施例２】
【００６２】
上述した表示タグ１０にあって、タグ部材１２としては図１２Ａに示すようにその掛け止め片１２Ｂの基端部１４ａと先端部１４ｂのそれぞれにスリット１３０ａ，１３０ｂを形成することもできる。スリット１３０ａ，１３０ｂの形成位置は、図１２Ｂに一部を拡大して示すように衝合先端部１４ｂを基線ｐから折り曲げたとき、衝合突起部３４，３４と対向する位置である。スリット１３０ａ，１３０ｂの幅は衝合突起部３４，３４の幅に等しいか若干広目である。
【００６３】
このようなスリット１３０ａ，１３０ｂを設けることで、掛け止め片１２Ｂを折り曲げたとき、衝合突起部３４，３４の各先端がスリット１３０ａ，１３０ｂ内に入り込む（食い込む）ので、係止片３０が掛け止め片１２Ｂから抜けにくくなる。
【００６４】
なお、スリット１３０ａ，１３０ｂは、先端突起部３６，３６と対向する位置に設けるようにしてもよい。
【実施例３】
【００６５】
図１３は係止片３０の他の例を示す。この例は一半部３２ａと他半部３２ｂとで係止片３０が構成されるも、それぞれの内面には突起部３４，３４とテーパー面３８，３８のみが存在する簡易型の係止片の例である。
【００６６】
この簡易型であっても係止片３０によって掛け止め片３０を堅固に挟持固定できる。実施例２のタグ部材１２と組み合わせるとスリット１３０ａ、１３０ｂによる抜け防止が加わるから好適である。
［第２の発明］
【００６７】
第１の発明では、係止片３０を使用してタグ部材１２に結束線２０を取り付けるようにしたものである。第２の発明はこの係止片３０の代わりに粘着材を使用して結束線２０をタグ部材１２に取り付けるようにしたものである。
【００６８】
この場合には、図１４に示すように掛け止め片１２Ｂにおける基端部１４ａと先端部１４ｂとのそれぞれか、何れか一方に貼着部１４０が設けられる。図１４Ａは先端部１４ｂに貼着部１４０が設けられている場合を示す。貼着部１４０は粘着機能を有するもので、両面接着材などが利用される。
【００６９】
基端部１４ａと先端部１４ｂとの間に結束線２０を挟み込んだ状態で、先端部１４ｂを基線ｐから折り曲げて、図１４Ｂに示すように貼着部１４０を介して基端部１４ａと先端部１４ｂとの間を密着させることで、両者を堅固に固定できる。これによって係止片３０と同等の作用効果が得られる。
【００７０】
貼着部１４０を上述とは逆に基端部１４ａ側に設けると、先端部１４ｂを折り曲げるときのタイミングが悪くても、貼着部１４０によって確実に先端部１４ｂを基端部１４ａ側に貼着固定できる。
【産業上の利用可能性】
【００７１】
この発明では、商品を内装する包装袋の表示タグなどに適用して好適である。
【図面の簡単な説明】
【００７２】
【図１】第１の発明に係る表示タグの一例を示す構成図である。
【図２】結束線の取り付け状態を示す図である。
【図３】係止片の一例を示す構成図である。
【図４】結束線の取り付け作業工程図である。
【図５】図４の詳細を示す取り付け作業工程図である（その１）。
【図６】図４の詳細を示す取り付け作業工程図である（その２）。
【図７】係止片の一例を示す構成図である。
【図８】係止片と掛け止め片との関係を示す拡大図である。
【図９】結束機構を使用した結束工程例を示す図である（その１）。
【図１０】結束機構を使用した結束工程例を示す図である（その２）。
【図１１】表示タグを結束した包装袋の斜視図である。
【図１２】タグ部材の他の例を示す平面図である。
【図１３】係止片の他の例を示す平面図である。
【図１４】第２の発明に係る表示タグの一例を示す構成図である。
【符号の説明】
【００７３】
１０・・・表示タグ、１２・・・タグ部材、１２Ａ・・・タグ本体、１２Ｂ・・・掛け止め片、１４ａ・・・基端部、１４ｂ・・・先端部、２０・・・結束線、３０・・・係止片、３２ａ，３２ｂ・・・半部、３４，３４・・・衝合突起部、３６，３６・・・突起部、３８，３８・・・テーパー面、５０・・・取り付け機構、５４，５６，５８・・・押圧部、６０・・・押し当て部、７０，７２・・・拡張部材、１００・・・結束機構、１０２・・・押し付け機構部、１０４・・・包装袋、１１０・・・ひねり機構部、１１２・・・ひねり部、１１４・・・駆動モータ
【図１】
2008150079.tif 000003
【図２】
2008150079.tif 000004
【図３】
2008150079.tif 000005
【図４】
2008150079.tif 000006
【図５】
2008150079.tif 000007
【図６】
2008150079.tif 000008
【図７】
2008150079.tif 000009
【図８】
2008150079.tif 000010
【図９】
2008150079.tif 000011
【図１０】
2008150079.tif 000012
【図１１】
2008150079.tif 000013
【図１２】
2008150079.tif 000014
【図１３】
2008150079.tif 000015
【図１４】
2008150079.tif 000016